(57)【要約】【課題】効果的に空気清浄を行う、実用性の高い高酸素含有空気を提供する空気清浄機を提供する。【解決手段】ボックス１０内に予備濾過室１２と圧力室１３を設け、該予備濾過室内に活性炭濾過網２０、酸素発生器５２、オゾン発生器５１を設け、該圧力室１３内には圧縮ユニット４２及び超微粒子濾過器４３を配置する。該圧縮ユニット４２で空気を強制的に予備濾過室から該活性炭濾過網２０を経て該加圧室４４に送り込み、空気が高密度の状態で、短波長の紫外光源４５により滅菌効果を倍加して濾過を行った後、該超微粒子濾過器４３、長波長の紫外光源４６を順に経ることにより、無塵、無菌、無害のクリーンな酸素富化空気を提供する。【選択図】        図５
0003105398.tif 000002
【実用新案登録請求の範囲】
【請求項１】
ボックス及び該ボックス内に配置された活性炭濾過網と、超微粒子濾過器と、圧縮ユニットと、紫外光源と、オゾン発生器と、酸素発生器と、より構成される空気清浄機において、
該ボックスは、空気取入口及び空気出口が設けられ、該空気取入口と出口との間には隔壁により区画された圧力室を構成してなり、
該活性炭濾過網は、該圧力室に至る空気が通過する位置でボックス内に配置され、
該圧縮ユニット及び該超微粒子濾過器は、該圧力室内に配置されて該活性炭濾過網を通過した空気を該加圧室内に強制的に送り込み、加圧して該該超微粒子濾過器で濾過後、該空気出口より放出せしめ、
該紫外光源は該加圧室内に配置されて加圧空気を照射し、
該オゾン発生器及び該酸素発生器は、該ボックス内に配置されて、オゾン及び酸素を供給するようにしてなることを特徴とする高酸素含有空気を提供する空気清浄機。
【請求項２】
上記ボックスは隔離板により上下の二つの空間に隔て、下側の空間を予備濾過室、上側の空間を圧力室とし、且つ該予備濾過室及び圧力室を相通させるべく該隔離板側方には該ボックスの片側にて空気流通路を設けてなり、
該予備濾過室の上面両側には該活性炭濾過網を挿入するガイドレールが設けられており、且つ該予備濾過室には該活性炭濾過網下方にて承盤を設けており、
該圧力室は該空気流通路側に隔壁板が設けられ、該隔壁板中心には開口が設けられていることにより、空気が該開口を経て該圧力室に至り、また該圧力室には該隔壁板内側にて圧縮ユニットが設けられており、これにより微粒子濾過器と隔壁板及び圧縮ユニットとの間に加圧室を形成し、更に該圧縮ユニットは該隔壁板内側にモータ台座を設けており、該モータ台座上にはモータが固定され、該モータ中心軸には該隔壁板の開口に対応したファンが設けられていることを特徴とする請求項１記載の高酸素含有空気を提供する空気清浄機。
【請求項３】
該加圧室中の紫外線光源は短波長であり、該空気出口個所に長波長の紫外光源が設けられていることを特徴とする高酸素含有空気を提供する請求項１記載の空気清浄機。
【請求項４】
該酸素発生器は、室内の空気に純正酸素を添加し、ボックス上のノズル及びオゾン発生器のアクセプト側にまで至らしめることを特徴とする請求項１記載の高酸素含有空気を提供する空気清浄機。
【考案の詳細な説明】
【技術分野】
【０００１】
本考案は、高酸素含有空気を提供する空気清浄機に係り、特に完全に無塵化及び殺菌を行い、且つ空気中の酸素含有量を高める空気清浄機に関わる。
【背景技術】
【０００２】
現在既に開発されている空気清浄機には、ボックス型を呈したケース内にファンと高効率空気濾過（HEPA）器が設けられているものがあり、約0．3μｍの粒子を捉えて紫外線灯や光触媒により微生物を死滅させる、或いは微生物の繁殖力をなくすといったものである。
【特許文献１】特開２００４−１２１８１１号公報
【考案の開示】
【考案が解決しようとする課題】
【０００３】
しかし上述のように空気が低密度の状態で紫外線灯による殺菌を行っても殺菌効果は顕著でなく、空気清浄機能が効果的に行われていないことが言える。
そこで上述の欠点に鑑み、効果的に空気清浄を行い、同時に更に実用性を高めるべく本考案の高酸素含有空気を提供する空気清浄機を提供する。
【課題を解決するための手段】
【０００４】
ボックス内に圧力室、活性炭濾過網、酸素発生器、オゾン発生器を設け、該圧力室内には圧縮ユニット及び超微粒子濾過器（ULPA）により安定した加圧室を形成し、該加圧室中には短波長の紫外光源を設け、該圧縮ユニットで空気を強制的に該活性炭濾過網を経て該加圧室に進入させ、空気が高密度の状態で、短波長の紫外光源により効力を倍加して滅菌を行った後、該超微粒子濾過器、長波長の紫外光源を順に経ることにより、無塵、無菌、無害のクリーンな空気を提供する。
【考案の効果】
【０００５】
本考案によると、効果的に空気清浄が行えると同時に高い酸素含有量を具有する空気を提供する目的が達成された。
【考案を実施するための最良の形態】
【０００６】
図１に示すように、本考案の空気清浄機における濾過空気の流通ルートは、その使用態様に応じて少なくとも三つに分けることができる。一は、直接空気を予備的に濾過し、圧縮過程を経てから短波長の紫外線照射で殺菌を行い、超微粒子濾過器で加圧濾過することで浄化された無塵の空気とするルートである。二は、予備濾過を経た空気が酸素発生器を経てオゾン発生器中に送られることでオゾンを生じ、該オゾンが同時に十分に圧縮された状態で短波長の紫外光源により照射されることにより殺菌効果を倍加し、更に微粒子が濾過された後に長波長の紫外光源により該オゾンを分解し、クリーンな空気を得るルートである。三は、予備濾過を経た空気が酸素発生器中に送り込まれて純正な酸素を添加され、該酸素が直接ノズルより放出されることにより室内の空気中の酸素含有量を高めるものである。
【０００７】
図２から５に示すように、ボックス１０内には該ボックスを上下二つのパートに隔てる隔離板１１が設けられており、下部は予備濾過室１２であり、上部は圧力室１３となっている。また、該隔離板１１には該ボックス１０の片側にて濾過室１２から圧力室１３に相通する空気流通路１４が形成されているものとする。図３に示すように予備濾過室１２には空気取入口１２０が設けられており、該圧力室１３には空気出口１３０が設けられる。
【０００８】
図５，６に示すように、該予備濾過室１２は網を備えた該空気取入口１２０に相対する側に下蓋１２１が設けられており、該下蓋１２１を開閉して予備濾過室１２内に設置されたオゾン発生器、酸素発生器の切り替え操作を行う。また該予備濾過室１２の上部には活性炭濾過網２０が設けられている。略コの字型を呈したガイドレール２１に沿って該活性炭濾過網２０が予備濾過室内に挿入・セットされて該予備濾過室１２と空気流通路１４と間に配置されて、これにより空気が強制的に該空気取入口１２０、活性炭濾過網２０、空気流通路１４を通過してから圧力室１３に至り、空気が下から上へと流れるようになっている。
【０００９】
該予備濾過室１２には、該活性炭濾過網２０下方に承盤３０を設けており、該承盤３０が該活性炭濾過網２０から自然に落下した汚染物を収集する個所となっている。本考案装置が作動していないときにおいてであるが、該承盤３０底部に設けられた略Tの字型を呈したスライドレール３１、並びにこれに対応して設けられた該予備濾過室１２の略Tの字型を呈したスライドレール溝３２により、該承盤３０がスムーズに該予備濾過室１２から出し入れできるようになっており、汚れを洗浄するのを容易にしている。
【００１０】
図４，５，７に示すように、該圧力室１３は相互に対応する前蓋１３１と後蓋１３２とを具有し、且つ該前蓋１３１は該予備濾過室１２にまで延長されており、直接該空気取入口１２０が設置される。また該圧力室１３内には該空気流通路１４内側に隔壁板４１が設けられており、該隔壁板４１中心には開口４１０が設けられる。
【００１１】
該圧力室１３は該隔壁板４１内側に圧縮ユニット４２が設けられており、該圧縮ユニット４２は、該隔壁板４１内側に設けられたモータ台座４２０上にモータ４２１が固定されており、該モータ４２１中心軸にはファン４２２が設けられている。該ファン４２２はちょうど該隔壁板４１開口４１０に位置し、該ファン４２２が該開口４１０を経て空気をスムーズに加圧して、該圧力室１３に送り込むことにより、該圧力室１３内の空気を一定の高密度としており、また該隔壁板４１は該開口４１０外側には安全用の保護ネット４１１が設けられている。
【００１２】
該圧力室１３には該圧縮ユニット４２に対して適当な間隔を空けて超微粒子濾過器（ULPA）４３が設けられており、該圧力室１３内壁四周から突出した形態で遮断板１３３が設けられており、該遮断板１３３には該後蓋１３２方向に向かって四本のボルト１３４が設けられており、
且つ各該ボルト１３４は圧制板１３５を穿設し、ナットにより該圧制板１３５を固定する。該圧制板１３５は該超微粒子濾過器４３の圧制版設置部４３０を圧制しており、該超微粒子濾過器４３が該遮断板１３３上に緊密に固定されている。こうすることで該超微粒子濾過器４３と隔壁板４１と圧縮ユニット４２との間に加圧室４４が形成され、且つ該加圧室４４は空気を強制的に該超微粒子濾過器４３内に至らしめ、濾過率が99．9999パーセントと高い濾過後の空気中には径0．1μｍ以下の粒子が存在するのみとなる。
【００１３】
該加圧室４４上方には短波長の紫外光源４５が設けられており、該ボックス１０の対応した位置にはウィンドウ４５０が設けられている。図８に示すように、該圧縮ユニット４２が作動しているときには、空気は活性炭濾過網２０より強制的に該加圧室４４に至り、空気が該加圧室４４内にて数倍レベルの高密度状態となり、該短波長の紫外光源４４による滅菌効果を強化し、更に該超微粒子濾過器（ULPA）４３が空気中の径0．1μｍ以上の粒子を濾過し、上分岐道１３６を経て該ボックス１０上端の空気出口１３０よりクリーンな無塵且つ無菌の空気がアウトプットされる。
また本考案における滅菌効果であるが、該短波長の紫外光源４５に照射される加圧室４４或いは空気出口１３０或いは空気取入口１２０はそれぞれ同時に光触媒が塗布されており、有害な分子が全て分解されるようになっている。
【００１４】
この他にも図２，４に示すように、本考案は該予備濾過室１２中にオゾン発生器５１や酸素発生器５２を設け、該オゾン発生器５１や酸素発生器５２は該濾過室内に配置されたケース５０内に設置されるものとし、一つのモジュールのような構造となっているものとする。また図９に示すように、該オゾン発生器５１は、該酸素発生器５２より直接純酸素と共に提供することから人体に比較的害の少ない形態でオゾンを提供でき、該オゾンが該加圧室４４に進入することで該短波長の紫外光源４５と併せて数倍の効果を具有する高圧殺菌を行い、更に該空気出口１３０下方の該長波長の紫外光源４６によって該空気中の成分を分解し、該オゾンが人体に害を与えないようにする。図１０に示すように、該酸素発生器５２は該予備濾過室１２或いは加圧室４４に至る空気に直接純正の酸素を添加し、単独で起動させることで純正の酸素がルート５２０を経て該ボックス１０上のノズル５２１より室内に噴出され、空気中の酸素の濃度を高めた空気により人体に疲労回復作用を提供する。また該ノズル５２１においては集中して該純正酸素を放出するため、激しい運動をした人や患者の口を近づけて使用することで、酸素吸入器のような機能も提供できる。
【００１５】
該オゾン発生器５１においては、該酸素発生器５２がマイクロプロセッサやコントロールボード６０によって操作されることにより、一時間毎に純正酸素或いはオゾンを提供し、室内の殺菌を行う、或いは室内の空気の酸素含有量を高めるといった目的で使用され、オートマティックに且つ多くの目的のために空気清浄を行うことができるようになっている。
【図面の簡単な説明】
【００１６】
【図１】本考案における空気濾過ルートを示す図である。
【図２】本考案における正面立体図である。
【図３】図２に前蓋を組み立てた様子を示す立体図である。
【図４】本考案における背面立体図である。
【図５】本考案における分開説明図である。
【図６】本考案における濾過室の局部拡大図である。
【図７】本考案における断面図である。
【図８】本考案における実施例説明図である。
【図９】本考案においてオゾンを放出する実施例を示す図である。
【図１０】本考案において酸素を放出する実施例を示す図である。
【符号の説明】
【００１７】
１０  ボックス
１１  隔離板
１２  予備濾過室
１２０  空気取入口
１２１  下蓋
１３  圧力室
１３０  空気出口
１３１  前蓋
１３２  後蓋
１３３  遮断板
１３４  ボルト
１３５  圧制板
１３６  上分岐道
１４  空気流通路
２０  活性炭濾過網
２１  ガイドレール
３０  承盤
３１  スライドレール
３２  スライドレール溝
４１  隔壁板
４１０  開口
４１１  保護ネット
４２  圧縮ユニット
４２０  モータ台座
４２１  モータ
４２２  ファン
４３  超微粒子濾過器
４３０  圧制板設置部
４４  加圧室
４５  短波長の紫外光源
４５０  ウィンドウ
４６  長波長の紫外光源
５０  ケース
５１  オゾン発生器
５２  酸素発生器
５２０  ルート
５２１  ノズル
６０  コントロールボード
【図１】
0003105398.tif 000003
【図２】
0003105398.tif 000004
【図３】
0003105398.tif 000005
【図４】
0003105398.tif 000006
【図５】
0003105398.tif 000007
【図６】
0003105398.tif 000008
【図７】
0003105398.tif 000009
【図８】
0003105398.tif 000010
【図９】
0003105398.tif 000011
【図１０】
0003105398.tif 000012